(57)【要約】【課題】電線上の着雪移動により難着雪リングに大きな負荷が作用しても難着雪リングが装着の初期位置からずれるのを防止し電線の着雪の発達を長期に亘り安定して抑制できる難着雪リングを提供する。【解決手段】伸縮変形可能な可撓部８及び内周面に電線１７と接触する複数の突起をもち外周面に円周方向に延在する周溝９を設けかつ周溝９の底面から厚さ方向に貫通する貫通孔５を設けた１対の円弧状部１０を有する内側装着リング１１と、弾性材料からなり内側装着リング１１の外周面に設けた周溝９に配設され略Ｃ状の形状をもつ本体部１４及び本体部１４の両端から電線１７方向に延在する１対の内向き端部１５を有し、弾性力により本体部１４を内側装着リング１１の外周面に接触させると共に１対の内向き端部１５を各々内側装着リング１１の貫通孔５に挿入し電線１７に接触させる外側装着リング１３とを備えた内外２重リング構造の難着雪リング１とする。【選択図】図１
2020182267.tif 000002
【特許請求の範囲】
【請求項１】
複数本の素線を撚り合わせた電線の外周に装着され、電線着雪の発達を抑制する難着雪リングにおいて、
前記難着雪リングは、
前記電線の断面輪郭形状に応じた伸縮変形が可能な可撓部、および
前記可撓部の両端からそれぞれ円弧状に延在し、対向する端部同士が連結可能な形状をもち、内周面に、前記電線と接触する複数の突起をもち、外周面に、円周方向に沿って延在する周溝を形成するとともに、前記周溝の溝底面から厚さ方向に貫通する貫通孔を形成し、前記端部同士を連結した状態で、前記可撓部とともに環状リングを形成する１対の円弧状部
を有し、前記電線に装着される内側装着リングと、
弾性材料からなり、前記内側装着リングの外周面に形成した前記周溝に沿って配設され、略Ｃ状の延在形状をもつ本体部、および前記本体部の両端から前記電線に向かう方向に延在する１対の内向き端部を有し、弾性力によって、前記本体部を前記内側装着リングの外周面に接触させるとともに、前記１対の内向き端部を、それぞれ前記内側装着リングに形成した前記貫通孔に挿入して前記電線に接触させ、前記内側装着リングおよび前記電線の双方に装着される外側装着リングと
を備えた、内外２重リング構造で構成される、難着雪リング。
【請求項２】
前記弾性材料が金属材料である、請求項１に記載の難着雪リング。
【請求項３】
前記弾性材料が樹脂材料である、請求項１に記載の難着雪リング。
【請求項４】
前記外側装着リングは、前記内向き端部が、前記電線の外面を構成する、隣接する素線同士で形成される撚り溝の隙間に挿入されて、前記電線と接触するように装着される、請求項１、２または３に記載の難着雪リング。
【請求項５】
前記外側装着リングは、前記内向き端部が先細り形状を有する、請求項１〜４のいずれか１項に記載の難着雪リング。
【請求項６】
前記外側装着リングは、前記本体部が、前記内側装着リングの前記端部同士の連結位置を含む前記内側装着リングの半周以上を覆うように構成されている、請求項１〜５のいずれか１項に記載の難着雪リング。
【請求項７】
前記貫通孔は、前記１対の円弧状部にそれぞれ同じ数でかつ１個以上形成する、請求項１〜６のいずれか１項に記載の難着雪リング。
【請求項８】
前記貫通孔は、前記１対の円弧状部にそれぞれ異なる数でかつ１個以上形成する、請求項１〜６のいずれか１項に記載の難着雪リング。
【請求項９】
前記内側装着リングは、前記外側装着リングを装着した状態で、前記外側装着リングの外面位置が、前記周溝の溝壁高さ位置と同じであるか、または、前記溝壁高さ位置よりも前記溝底面側にある、請求項１〜８のいずれか１項に記載の難着雪リング。
【請求項１０】
請求項１〜９のいずれか１項に記載の難着雪リングを、前記電線の外周に装着して得られた、難着雪リング付き電線。
【発明の詳細な説明】
【技術分野】
【０００１】
本発明は、例えば架空送電線等の電線に装着される難着雪リング、および難着雪リング付き電線に関する。
【背景技術】
【０００２】
従来より、特に積雪の多い地域においては、電線の着雪の発達を抑制するため、難着雪リングが使用されている。例えば本出願人は、特許文献１において、難着雪リングを提案した。この難着雪リングは、図１２および図１３に示すように、切れ目５０を有する可撓性リング１１０の一端に係止突起３０が、他端に嵌合溝４０がそれぞれ設けられ、内周面には円周方向に延びる環状突起７０と、円周方向と直角の方向に延びる複数の補強突起６０が設けられ、可撓性リング１１０の中央位置には可撓性を持たせるために薄肉に形成されている。そして、可撓性リング１１０の係止突起３０を嵌合溝４０に嵌合させることによって、難着雪リング１００を電線１７に装着することができ、複数の難着雪リング１００を電線１７に所定間隔で装着することにより、電線１７上の着雪が、電線１７を構成する素線１６の撚り方向に沿って滑りながら移動したとしても、難着雪リング１００で着雪の移動を阻止し、電線から着雪を分離（落下）させることによって、電線１７上での着雪の発達を抑制したものである。
【先行技術文献】
【特許文献】
【０００３】
【特許文献１】実開平２−１２２５２５号公報
【発明の概要】
【発明が解決しようとする課題】
【０００４】
このような難着雪リングは、地上数ｍ以上の高さの電線に装着する。難着雪リングを交換する場合、作業者は、例えばゴンドラ等の機械に乗りながら、難着雪リングの交換作業を行う。特に、電線が架空送電線のように、地上から非常に離れた高い鉄塔の位置に架設されている場合には、難着雪リングを短期間で交換することが難しい。そのため、電線における着雪の発達の抑制を長期間にわたって持続し、難着雪リングの交換頻度を低減することが求められている。
【０００５】
また、近年では、例年に比べて寒い日が続いたり、気温の高低差が大きかったり、０℃以下の寒い日が長く続いたりする地域も増加する傾向があり、地域によっては電線上の着雪の被害が顕著になることが想定されることから、電線に対する難着雪リングの装着保持力が、長期間にわたって低下しない難着雪リングの構造を開発することが必要である。
【０００６】
本発明は、上記問題点に鑑みてなされたものであり、特に電線上での着雪の移動によって難着雪リングに大きな負荷が作用したとしても、難着雪リングが電線に装着した初期位置からずれるのを有効に防止して、電線に対する着雪の発達を長期間にわたって安定して抑制することができる難着雪リングおよび難着雪リング付き電線を提供することを目的とする。
【課題を解決するための手段】
【０００７】
本発明者らは、電線に対する難着雪リングの装着保持力を高めるべく、難着雪リングの構造について鋭意検討を行った。その結果、難着雪リングを、電線に装着される内側装着リングだけではなく、内側装着リングおよび前記電線の双方に装着される外側装着リングとの内外２重リング構造で構成することによって、特に電線上での着雪の移動によって難着雪リングに大きな負荷が作用したとしても、難着雪リングが電線に装着した初期位置からずれるのを有効に防止して、電線に対する着雪の発達を長期間にわたって安定して抑制することができることを見出し、本発明を完成するに至った。
【０００８】
すなわち、本発明の要旨構成は、以下のとおりである。
（１）複数本の素線を撚り合わせた電線の外周に装着され、電線着雪の発達を抑制する難着雪リングにおいて、前記難着雪リングは、前記電線の断面輪郭形状に応じた伸縮変形が可能な可撓部、および前記可撓部の両端からそれぞれ円弧状に延在し、対向する端部同士が連結可能な形状をもち、内周面に、前記電線と接触する複数の突起をもち、外周面に、円周方向に沿って延在する周溝を形成するとともに、前記周溝の溝底面から厚さ方向に貫通する貫通孔を形成し、前記端部同士を連結した状態で、前記可撓部とともに環状リングを形成する１対の円弧状部を有し、前記電線に装着される内側装着リングと、弾性材料からなり、前記内側装着リングの外周面に形成した前記周溝に沿って配設され、略Ｃ状の延在形状をもつ本体部、および前記本体部の両端から前記電線に向かう方向に延在する１対の内向き端部を有し、弾性力によって、前記本体部を前記内側装着リングの外周面に接触させるとともに、前記１対の内向き端部を、それぞれ前記内側装着リングに形成した前記貫通孔に挿入して前記電線に接触させ、前記内側装着リングおよび前記電線の双方に装着される外側装着リングとを備えた、内外２重リング構造で構成される、難着雪リング。
（２）前記弾性材料が金属材料である、（１）に記載の難着雪リング。
（３）前記弾性材料が樹脂材料である、（１）に記載の難着雪リング。
（４）前記外側装着リングは、前記内向き端部が、前記電線の外面を構成する、隣接する素線同士で形成される撚り溝の隙間に挿入されて、前記電線と接触するように装着される、（１）、（２）または（３）に記載の難着雪リング。
（５）前記外側装着リングは、前記内向き端部が先細り形状を有する、（１）〜（４）のいずれか１項に記載の難着雪リング。
（６）前記外側装着リングは、前記本体部が、前記内側装着リングの前記端部同士の連結位置を含む前記内側装着リングの半周以上を覆うように構成されている、（１）〜（５）のいずれか１項に記載の難着雪リング。
（７）前記貫通孔は、前記１対の円弧状部にそれぞれ同じ数でかつ１個以上形成する、（１）〜（６）のいずれか１項に記載の難着雪リング。
（８）前記貫通孔は、前記１対の円弧状部にそれぞれ異なる数でかつ１個以上形成する、（１）〜（６）のいずれか１項に記載の難着雪リング。
（９）前記内側装着リングは、前記外側装着リングを装着した状態で、前記外側装着リングの外面位置が、前記周溝の溝壁高さ位置と同じであるか、または、前記溝壁高さ位置よりも前記溝底面側にある、（１）〜（８）のいずれか１項に記載の難着雪リング。
（１０）（１）〜（９）のいずれか１項に記載の難着雪リングを、前記電線の外周に装着して得られた、難着雪リング付き電線。
【発明の効果】
【０００９】
本発明によれば、特に電線上での着雪の移動によって難着雪リングに大きな負荷が作用したとしても、難着雪リングが電線に装着した初期位置からずれるのを有効に防止して、電線に対する着雪の発達を長期間にわたって安定して抑制することができる難着雪リングおよび難着雪リング付き電線を提供することができる。
【図面の簡単な説明】
【００１０】
【図１】本発明に従う第１実施形態の難着雪リングの断面図であって、電線に装着した難着雪リング付き電線として示す。
【図２】図１の難着雪リングの斜視図であって、電線に装着した難着雪リング付き電線として示す。
【図３】図１の難着雪リングを構成する内側装着リングの斜視図を示す。
【図４】図１の難着雪リングを構成する外側装着リングの斜視図である。
【図５】外側装着リングの内向き端部の先端部の形状の種々の変形例を示す図である。
【図６】本発明に従う第２実施形態の難着雪リングの斜視図である。
【図７】本発明に従う第３実施形態の難着雪リングの断面図である。
【図８】本発明に従う第４実施形態の難着雪リングの断面図である。
【図９】内側装着リングに形成した貫通孔の配置の変形例を示す図である。
【図１０】難着雪リングを構成する内側装着リングを電線に装着する方法を説明するための図である。
【図１１】難着雪リングを構成する内側装着リングに形成した貫通孔に、外側装着リングの内向き端部の先端が電線の撚り溝に沿うように配設したときの状態を拡大して示した図である。
【図１２】従来の難着雪リングの断面図であって、電線に装着した難着雪リング付き電線として示す。
【図１３】従来の難着雪リングを構成する可撓性リングの斜視図であって、端部同士が分離した状態（連結前の状態）を示す。
【発明を実施するための形態】
【００１１】
以下、本発明の実施形態について詳細に説明する。ただし、本発明は、以下の実施形態に限定されるものではない。
【００１２】
本発明の難着雪リングは、複数本の素線を撚り合わせた電線の外周に装着され、電線着雪の発達を抑制する難着雪リングにおいて、前記難着雪リングは、前記電線の断面輪郭形状に応じた伸縮変形が可能な可撓部、および前記可撓部の両端からそれぞれ円弧状に延在し、対向する端部同士が連結可能な形状をもち、内周面に、前記電線と接触する複数の突起をもち、外周面に、円周方向に沿って延在する周溝を形成するとともに、前記周溝の溝底面から厚さ方向に貫通する貫通孔を形成し、前記端部同士を連結した状態で、前記可撓部とともに環状リングを形成する１対の円弧状部を有し、前記電線に装着される内側装着リングと、弾性材料からなり、前記内側装着リングの外周面に形成した前記周溝に沿って配設され、略Ｃ状の延在形状をもつ本体部、および前記本体部の両端から前記電線に向かう方向に延在する１対の内向き端部を有し、弾性力によって、前記本体部を前記内側装着リングの外周面に接触させるとともに、前記１対の内向き端部を、それぞれ前記内側装着リングに形成した前記貫通孔に挿入して前記電線に接触させ、前記内側装着リングおよび前記電線の双方に装着される外側装着リングとを備えた、内外２重リング構造で構成されたものである。
【００１３】
[第１実施形態]
{難着雪リング}
図１〜図４は、第１実施形態に係る難着雪リングを示したものであって、図１が（電線装着後の）難着雪リングの断面図、図２が図１に示す難着雪リングの斜視図、図３が（電線装着前の）内側装着リングの斜視図、そして、図４が（電線装着前の）外側装着リングの斜視図である。
第１実施形態に係る難着雪リング１は、図１乃至図４に示すように、内側装着リング１１と外側装着リング１３とを主として備え、これらの内側装着リング１１および外側装着リング１３によって内外２重リング構造で構成されている。この難着雪リング１は、複数本の素線（図１では７本の素線１６、１６、・・）を撚り合わせた電線１７の外周に装着され、電線着雪の発達を抑制するために用いるものである。
【００１４】
＜内側装着リング＞
内側装着リング１１は、図１乃至図３に示すように電線１７に装着されるためのものであって、図３に示すように、内側装着リング１１は、可撓部８および１対の円弧状部１０、１０で主に構成されている。
【００１５】
内側装着リング１１を構成する材料は限定されないが、例えば、ポリアリーレンスルフィドや、ポリエーテルエーテルケトン、ポリフェニレンサルファイド、ポリカーボネート、ポリアミド、あるいはポリアセタール等の各種樹脂材料等を用いることができる。そして、このような樹脂材料を用いて、例えば射出成形することにより、上記したような可撓部８と１対の円弧状部１０、１０とを一体成型品として形成することができる。内側装着リング１１は、このような樹脂材料で構成すれば、コロナ放電防止性、耐候性、耐熱性、難燃性、耐久性等の性能を発揮することができる。
【００１６】
（可撓部）
可撓部８は、電線１７の断面輪郭形状に応じた伸縮変形が可能なように形成されている。また、可撓部８の形状は、内側装着リング１１を電線１７に装着したときに、電線１７の外形が真円ではなかったり、外径寸法が基準寸法とは多少異なっていた場合であっても、可撓部８が伸縮変形して内側装着リング１１を電線１７の外面に装着するのに適合するような形状であればよく、特に限定はしない。図３に示す可撓部８は、１対の円弧状部１０、１０ともに同一素材で一体的に形成されるとともに、１対の円弧状部１０、１０に比べて厚さが薄く、可撓部８を支点として内側装着リングの端部１２、１２同士が、嵌合および分離することが可能なように構成されている。
【００１７】
（円弧状部）
１対の円弧状部１０、１０は、可撓部８の両端からそれぞれ円弧状に延在し、対向する端部１２ａ、１２ｂ同士が連結可能な形状をもっている。
【００１８】
また、円弧状部１０、１０は、その内周面に、電線１７と接触する複数の突起６、７をもっている。このような突起６、７は、内側装着リング１１が電線１７の外周面に対し比較的強固に装着保持できるような位置に配置すればよく、特に限定はしない。図３に示す内側装着リング１１では、電線１７の外周面に沿わせるように、内側装着リング１１の内周面に、その円周方向に沿って延在する環状突起７を配設するとともに、環状突起７を挟んだ両側に、円周方向に対して直交する方向に延在する複数の補強突起６を、それぞれ互いに円周方向にずらした位置関係で間隔をおいて配設した態様を示している。
【００１９】
さらに、円弧状部１０、１０は、その外周面に、円周方向に沿って延在する周溝９が形成されている。この周溝９は、後述する外側装着リング１３を、内側装着リング１１の外面上に位置決め装着するために形成したものである。なお、周溝９は、特許文献１でも同様の溝（環状溝）を形成した態様を示しているが、特許文献１では、難着雪リングを電線に装着する際に押圧工具を周溝（環状溝）に当てて嵌合させるために形成したものであるため、特許文献１でいう環状溝と、本発明でいう周溝９は、本質的な役割および作用が大きく異なる。しかしながら、本発明においても、内側装着リング１１の外周面に形成した周溝９は、内側装着リング１１の外面上に外側装着リング１３を位置決め装着するための役割だけではなく、特許文献１に記載の環状溝と同様、押圧工具を使用した場合に、内側装着リング１１を電線１７に装着する際のガイド溝としての役割をも果たすように構成することができる。
【００２０】
さらに、１対の円弧状部１０、１０は、周溝９の溝底面から厚さ方向に貫通する貫通孔５がそれぞれ１個以上形成されている。
【００２１】
貫通孔５は、図１に示すように、外側装着リング１３を構成する１対の内向き端部１５、１５を電線１７に接触するように配置するために、内側装着リング１１に形成したものである。貫通孔５は、１対の円弧状部１０、１０に、それぞれ同じ数でかつ１個以上形成してもよく、あるいは、それぞれ異なる数でかつ１個以上形成してもよい。
【００２２】
図１に示す難着雪リング１では、可撓部８を除く、内側装着リング１１の外周面のほぼ全周にわたって外側装着リング１３を配設するため、外側装着リング１３の内向き端部１５を挿入するための貫通孔５を、可撓部８の近くに位置する、１対の円弧状部１０、１０の部分に、各１個ずつ合計２個の貫通孔５が設けられている態様を示している。
【００２３】
貫通孔５の形成方法は、従来公知のドリルを用いて物理的に内側装着リング１１に貫通孔を形成する手段や、所定の位置に開口パターンを設けたマスクを用いて、ドライエッチング処理あるいはウェットエッチング処理を行って貫通孔を形成する手段を用いることができる。
【００２４】
加えて、１対の円弧状部１０、１０は、それらの端部１２ａ、１２ｂ同士を連結した状態で、可撓部８とともに環状リングを形成する。この環状リングを形成した状態が、内側装着リング１１が電線１７に装着された状態となる。
【００２５】
＜外側装着リング＞
外側装着リング１３は、図４に示すように、本体部１４、および１対の内向き端部１５、１５で構成され、弾性材料からなっている。
【００２６】
（本体部）
本体部１４は、内側装着リング１１の外周面に形成した周溝９に沿って配設され、略Ｃ状の延在形状をもっている。本体部１４は、内側装着リング１１を構成する１対の円弧状部１０、１０の端部１２ａ、１２ｂ同士の連結位置を含む内側装着リング１１の半周以上を覆うように構成することが好ましい。このように構成すれば、本体部１４が内側装着リングの端部１２ａ、１２ｂ同士の連結位置Ｐを覆って保護するとともに、内側装着リング１１の半周以上を覆って内側装着リング１１を十分に補強することができるので、例えば、難着雪リング１に大きな衝撃が作用したとしても、内側装着リング１１を構成する１対の円弧状部の端部１２ａ、１２ｂ同士の連結状態が解除されにくくなり、電線１７に対する難着雪リング１の装着保持性能をより長期間にわたって維持することができる。
【００２７】
外側装着リング１３を構成する弾性材料は、金属材料または樹脂材料で構成することができる。弾性材料を構成する金属材料または樹脂材料の種類は限定されない。
【００２８】
弾性材料を構成する金属としては、例えば、ステンレス鋼（例えばＳＵＳ３０４）、ニッケル合金等を用いることができる。このような金属材料を弾性材料として用いれば、熱容量増加の作用によって落雷時の電線へのダメージを低減する特性の他、耐候性、耐久性、耐熱性等を満足する外側装着リング１３が得られる。
【００２９】
弾性材料を構成する樹脂材料としては、例えば、ポリカーボネート、塩化ビニル、ポリテトラフルオロエチレンが挙げられる。このような樹脂材料を弾性材料として用いれば、質量軽減、耐候性、耐久性等を満足する外側装着リングが得られる。
【００３０】
（内向き端部）
１対の内向き端部１５は、本体部１４の両端から電線１７に向かう方向に延在するように形成されている。また、外側装着リング１３が内側装着リング１１および電線１７に装着しているときに、外側装着リング１３の内向き端部１５が内側装着リング１１の貫通孔５から容易に外れない程度のバネ性を有し、内向き端部１５は形状を維持する。内向き端部１５は、電線１７の外面を構成する、隣接する素線１６、１６同士で形成される撚り溝Ｇ（図２参照）の隙間に挿入されて、内向き端部１５が電線１７の撚り溝Ｇの位置で固定されることから、電線１７と接触するように装着される。これによって、外側装着リング１３が、内側装着リング１１だけではなく、内向き端部１５によって電線１７に直接装着されることになるため、難着雪リング１を電線１７に対してより強固に装着することができる。また、内向き端部１５は、バネ性によって電線１７に向かう方向に延在している形状を維持しているため、外側装着リング１３は、内側装着リング１１および電線１７に強固に装着される。
【００３１】
内向き端部１５の先端部の形状は、特に限定はしないが、先細り形状にすることが、電線１７の外面を構成する、隣接する素線１６、１６同士で形成される撚り溝Ｇの隙間に挿入されやすくなって、外側装着リング１３、換言すれば、外側装着リング１３を構成部材とする難着雪リング１を、電線１７に対してより強固に装着できる点で好ましい。内向き端部１５の先端部の形状としては、例えば、図５（ａ）、（ｂ）、（ｃ）のそれぞれに示すような種々の先細り形状にする態様が挙げられる。図５（ａ）は、内向き端部１５ａの先端を、鋭角状にした態様、図５（ｂ）は、内向き端部１５ｂの先端を、円弧状にした態様、そして、図５（ｃ）は、内向き端部１５ｃの先端を、台形状にした態様を、それぞれ示している。
【００３２】
そして、本実施形態の難着雪リング１は、外側装着リング１３の弾性力によって、本体部１４を内側装着リング１１の外周面に接触させるとともに、１対の内向き端部１５、１５が、それぞれ内側装着リング１１に形成した貫通孔５に挿入して電線１７に接触して、内側装着リング１１および電線１７の双方に装着される。その結果、特に電線１７上での着雪の移動によって難着雪リング１に大きな負荷が作用したとしても、難着雪リング１が電線１７に装着された初期位置からずれるのを有効に防止して、電線１７に対する着雪の発達を長期間にわたって安定して抑制することができる。また、内側装着リング１１の貫通孔５に外側装着リング１３の内向き端部１５を挿入させるとき、内側装着リング１１の周溝９が外側装着リング１３の内向き端部１５または本体部１４を案内する。そのため、内側装着リング１１に外側装着リング１３を容易に装着することができる。
【００３３】
[第２実施形態]
次に、本発明に従う第２実施形態の難着雪リング１Ａについて説明する。なお、以下で説明する第２〜第４実施形態では、第１実施形態と重複する部分については、その説明を省略することとし、第１実施形態と異なる部分についてのみ説明する。また、難着雪リングの構成要素は、第１実施形態と同一の構成要素については同じ符号を付すこととする。
【００３４】
図６は、本発明に従う第２実施形態の難着雪リング１Ａの斜視図であって、電線１７に装着した状態で示す。本実施形態の難着雪リング１Ａは、内側装着リング１１ａが、外側装着リング１３ａを装着した状態で、外側装着リング１３ａの本体部１４の外面位置が、周溝９ａの溝壁高さ位置と同じであるか、または、溝壁高さ位置よりも溝底面側にあるように構成したものである。換言すると、内側装着リング１１ａが外側装着リング１３ａを装着した状態で、本体部１４の装着厚さが、周溝９ａの深さと同じであるか、または、周溝９ａの深さよりも小さい構成としたものである。図６の難着雪リング１Ａでは、内側装着リング１１ａが、外側装着リング１３ａを装着した状態で、外側装着リング１３ａの本体部１４の外面位置が、溝壁高さ位置よりも溝底面側にあるように構成した態様を示している。
上記の構成において、外側装着リング１３ａを内側装着リング１１ａに装着した状態で、外側装着リング１３ａの本体部１４の外面は内側装着リング１１ａの外周から外方にはみ出さない。
【００３５】
ところで、例えば難着雪リング１を装着した架空送電線の保守点検を行う場合、作業者が搭乗するゴンドラと、ゴンドラの上部に走行用の車輪とを備えた宙乗器を用いて、車輪を架空送電線上に懸架し、ゴンドラを架空送電線に沿って進行させながら作業者が架空送電線の保守点検を行うのが一般的である（図示省略）。
【００３６】
この際、難着雪リング１を構成する外側装着リング１３が、図１に示すように、例えば外側装着リング１１の連結位置Ｐの位置で、内側装着リング１１の外周から外方にはみ出した状態で内側装着リング１１および電線１７に装着されていた場合、電線１７上を走行してきた車輪が、難着雪リング１の、内側装着リング１１の外周から外方にはみ出している外側装着リング１３の部分に引っかかるなどして過剰な力を付与する場合が想定され、かかる場合、電線１７に装着されている難着雪リング１に破損等の故障が生じる可能性がある。
【００３７】
このため、このような故障が生じるのを確実に防止する必要がある場合には、例えば、内側装着リング１１ａは、外側装着リング１３ａを装着した状態で、外側装着リング１３ａの外面位置が、周溝９ａの溝壁高さ位置と同じであるか、または、図６に示すように、溝壁高さ位置よりも前記溝底面側にあるように、周溝９ａの溝壁高さを（高く）設定することが好ましい。
【００３８】
加えて、電線１７および内側装着リング１１ａに対する外側装着リング１３ａの装着保持力をより強くするために、外側装着リング１３ａの本体部１４を比較的厚くすることが必要である場合にも、上述したように周溝９の溝壁高さを高く設定することが好ましい。
【００３９】
[第３実施形態]
次に、本発明に従う第３実施形態の難着雪リング１Ｂについて説明する。
図７は、第３実施形態の難着雪リング１Ｂを断面で示したものである。
図７に示す難着雪リング１Ｂは、内側装着リング１１ｂと外側装着リング１３ｂとを主として備える内外２重リング構造から構成され、内側装着リング１１ｂの内周面が複数本の素線１６を撚り合わせた電線１７の外周に装着されて構成されている。
第１実施形態との相違点は、内側装着リングに設けた貫通孔５の位置と、外側装着リング１３の本体部１４の長さである。
すなわち、本実施形態に示す難着雪リング１Ｂは、内側装着リング１１ｂを構成する１対の円弧状部１０、１０の中央部に、各１個の貫通孔５を設けるとともに、各貫通孔５に外側装着リング１３ｂの内向き端部１５を挿入して電線１７の素線１６の隙間に食い込ませて、内側装着リング１１ｂの外周面に外側装着リング１３ｂの本体部１４を装着することにより、外側装着リング１３ｂの本体部１４が内側装着リング１１ｂの略半周を覆うように構成されたものである。
このように構成された難着雪リング１Ｂは、外側装着リング１３の使用量を抑えて、コストを削減することができる。また、外側装着リング１３ｂの本体部１４が内側装着リング１１ｂを覆う周長が半周未満の場合、内側装着リング１１ｂに対する外側装着リング１３の把持力増加の効果が安定して得られないことがある。
【００４０】
[第４実施形態]
次に、本発明に従う第４実施形態の難着雪リング１Ｃについて説明する。
図８は、第４実施形態の難着雪リング１Ｃを断面で示したものである。
図８に示す難着雪リング１Ｃは、内側装着リング１１ｃと外側装着リング１３ｃとを主として備える内外２重リング構造から構成され、内側装着リング１１ｃの内周面が複数本の素線１６を撚り合わせた電線１７の外周に装着されて構成されている。
第１実施形態との相違点は、内側装着リング１１ｃに設けた貫通孔５の数および位置と、内側装着リング１１ｃの周溝９を覆う外側装着リング１３ｃの本体部１４の長さまたは外側装着リング１３ｃの数である。
すなわち、本実施形態の難着雪リング１Ｃは、内側装着リング１１ｃを構成する１対の円弧状部１０、１０のそれぞれの中央位置に貫通孔５ａおよび５ｄを設け、該中央位置と連結位置Ｐとの中間位置に貫通孔５ｂおよび５ｃを設け、さらに、該中央位置と可撓部８との中間位置に貫通孔５ｅを設けて、合計５個の貫通孔を設けるとともに、外側装着リング１３ｃを伸縮可能な材料で構成した形態を示したものである。図８では、外側装着リング１３ｃを構成する１対の内向き端部１５、１５が、内側装着リング１１ｃを構成する１対の円弧状部１０、１０のうち、両方の円弧状部１０、１０の各中央位置に設けた貫通孔５ａ、５ｄにそれぞれ挿入された態様の外側装着リング１３ｃを実線で示し、また、外側装着リング１３ｃをさらに伸長させて、その１対の内向き端部１５、１５のうちの一方が、一方の円弧状部１０の中央位置に設けた貫通孔５ａに挿入され、その他方が、他方の円弧状部１０の中央位置と可撓部８との中間位置に設けた貫通孔５ｅに挿入された態様の外側装着リング１３ｃを二点鎖線（仮想線）で示してある。なお、図８では、外側装着リング１３ｃのうち、内側装着リング１１ｃと重なる部分を実線で示し、重ならない部分を二点鎖線で示している。
このように構成された難着雪リング１Ｃは、内側装着リング１１ｃを構成する１対の円弧状部１０、１０にそれぞれ２個以上の貫通孔、ここでは合計５個の貫通孔を設けることによって、外側装着リング１３ｃを構成する１対の内向き端部１５、１５が挿入される、内側装着リング１１ｃに形成した貫通孔を適宜選択することができ、これによって、電線１７に対する装着保持力の調整や、装着作業性を容易にするなどの効果を奏することが可能である。
【００４１】
さらに、第４実施形態の変形例として、図９に示すように、内側装着リング１１ｃの１対の円弧状部１０、１０のそれぞれに３個以上の貫通孔を形成して、５−１〜５−６の合計６個の貫通孔を配設し、これらの中から、２個以上の貫通孔を選択し、選択された貫通孔に、図示されない外側装着リングの内向き端部を挿入する際、選択する貫通孔の数や位置関係と、それに対応する、図示されない外側装着リングの長さや数との組み合わせ方を種々設定することができる。
【００４２】
このように構成することによって、第１乃至第４実施形態が奏する効果に加え、難着雪リング１、１Ａ、１Ｂ、１Ｃのバリエーションの拡大を図り、電線１７の態様や使用状況に対応させて十分な装着保持性能を発揮させるとともに、装着保持性能とコストとを調和させることが可能な難着雪リングを提供することができる。
【００４３】
（難着雪リング付き電線）
上述した実施形態の難着雪リングは、電線着雪の発達を抑制することが必要な各種電線に適用することができ、特に架空送電線に適用することが好適である。
【００４４】
（電線への難着雪リングの装着方法）
本実施形態の難着雪リング１、１Ａ、１Ｂ、１Ｃを電線１７に装着する方法を説明する。なお、ここでは、難着雪リング１について説明するが、難着雪リング１Ａ、１Ｂ、１Ｃについても基本的に同様である。図１０に示すように、まず、内側装着リング１１を電線１７に被せて、内側装着リング１１の内周面を電線１７の外周に被せた後に、内側装着リング１１の端部同士１２ａ、１２ｂにそれぞれ形成した嵌合溝４および係止突起部３を嵌合させて連結することにより、内側装着リング１１を電線１７に装着する。次に、外側装着リング１３を、本体部１４が内側装着リング１１の外周面の周溝９に沿って内側装着リング１１に嵌め込んでいき、最終的に１対の内向き端部１５、１５が内側装着リング１１の貫通孔５に挿入され、内向き端部１５、１５が電線１７の外面に接触し、これによって、外側装着リング１３が内側装着リング１１および電線１７に装着されることによって、難着雪リング１の電線への装着が完了する。その際、図１１に示すように、外側装着リング１３の内向き端部１５、１５を、それぞれの貫通孔５、５から斜め方向に屈曲させて挿入して、斜め方向から素線１６、１６の撚り溝Ｇに食い込ませる構成を採用すれば、内向き端部１５、１５を素線１６、１６の隙間に、より確実に食い込ませることができる。この結果、電線１７における外側装着リング１３の保持力をより確実に向上させることができる。
【００４５】
以上説明した本発明に係る難着雪リング１、１Ａ、１Ｂ、１Ｃによれば、内側装着リング１１、１１ａ、１１ｂ、１１ｃと外側装着リング１３、１３ａ、１３ｂ、１３ｃとを主として備える内外２重リング構造により、内側装着リング１１、１１ａ、１１ｂ、１１ｃの内周面が、複数本の素線１６を撚り合わせた電線１７の外周に対し、より強く装着保持されて、電線着雪の発達を抑制するため、特に電線上での着雪の移動によって難着雪リングに大きな負荷が作用したとしても、難着雪リング１、１Ａ、１Ｂ、１Ｃが電線装着の初期位置からずれるのを有効に防止して、電線に対する着雪の発達をより長期間にわたって安定して抑制することができる。
例えば、図１に示す構造を有する実施例の難着雪リングは、図１２に示す構造を有する従来例に比べて、外径許容差が下限である素線を用いた電線に対する装着保持力が１００％以上向上した。
以上、本発明の実施形態について説明したが、本発明は上記のような実施形態に限定されるものではなく、本発明の概念および特許請求の範囲に含まれるあらゆる態様を含み、本発明の範囲内で種々に改変することができる。
【符号の説明】
【００４６】
１、１Ａ、１Ｂ、１Ｃ  難着雪リング
２、２Ａ、２Ｂ、２Ｃ  難着雪リング付き電線
３  係止突起部
４  嵌合溝
５、５ａ、５ｂ、５ｃ、５ｄ、５ｅ、５ｆ、５−１、５−２、５−３、５−４、５−５、５−６  貫通孔
６  補強突起
７  環状突起
８  可撓部
９、９ａ  周溝
１０  円弧状部
１１、１１ａ、１１ｂ、１１ｃ  内側装着リング
１２ａ、１２ｂ  内側装着リングの端部
１３、１３ａ、１３ｂ、１３ｃ  外側装着リング
１４  本体部
１５、１５ａ、１５ｂ、１５ｃ  内向き端部
１６  素線
１７  電線
３０  係止突起
４０  嵌合溝
５０  切れ目
６０  補強突起
７０  環状突起
１００  難着雪リング
１１０  可撓性リング
Ｇ  撚り溝
Ｐ  連結位置
【図１】
2020182267.tif 000003
【図２】
2020182267.tif 000004
【図３】
2020182267.tif 000005
【図４】
2020182267.tif 000006
【図５】
2020182267.tif 000007
【図６】
2020182267.tif 000008
【図７】
2020182267.tif 000009
【図８】
2020182267.tif 000010
【図９】
2020182267.tif 000011
【図１０】
2020182267.tif 000012
【図１１】
2020182267.tif 000013
【図１２】
2020182267.tif 000014
【図１３】
2020182267.tif 000015